(57)【要約】【課題】作業を容易に行うことができる蓄電池ユニットを提供する。【解決手段】複数の単電池４２０と、当該複数の単電池４２０の電力を入出力するための電力線５３１、５３２、及び、当該複数の単電池の情報を入出力するための通信線５３５が接続されたモジュール回路５００と、を有する電池モジュール３０と、モジュール回路５００に電力線２５４、２５５及び通信線２５６で接続され、かつ、外部の電力変換装置２に接続されるユニット回路２０と、を備える蓄電池ユニット１であって、モジュール回路５００は、電力線２５４、２５５及び通信線２５６の一端が接続され、当該蓄電池ユニット１の複数の側面のうち対向する１対の側面のうち一方の面側の位置に配置される第１の端子５２１を有し、ユニット回路２０は、電力変換装置２と接続され、１対の側面のうち他方の面側の位置に配置される第２の端子２２１を有する。【選択図】図５
2018206558.tif 000002
【特許請求の範囲】
【請求項１】
複数の単電池と、当該複数の単電池の電力を入出力するための第１の電力線、及び、当該複数の単電池の情報を入出力するための第１の通信線が接続されたモジュール回路と、を有する電池モジュールと、
前記モジュール回路に第２の電力線及び第２の通信線で接続され、かつ、外部の電力変換装置に接続されるユニット回路と、
を備える蓄電池ユニットであって、
前記電池モジュールと前記ユニット回路とが並ぶ第１方向を鉛直方向にして、前記蓄電池ユニットを配置したときの当該蓄電池ユニットの上面及び下面を除く複数の側面のうち対向する１対の側面を第１の面及び第２の面としたとき、
前記モジュール回路は、前記第２の電力線及び前記第２の通信線の一端が接続され、前記第１の面及び前記第２の面のうち一方の面側の位置に配置される第１の端子を有し、
前記ユニット回路は、前記電力変換装置と接続され、前記第１の面及び前記第２の面のうち他方の面側の位置に配置される第２の端子を有する、
蓄電池ユニット。
【請求項２】
前記ユニット回路は、さらに、前記第２の電力線及び前記第２の通信線の他端が接続され、前記第１の面及び前記第２の面のうち前記一方の面側の位置に配置される第３の端子を有する
請求項１に記載の蓄電池ユニット。
【請求項３】
前記第１の端子は、前記第２の電力線の一端が接続される第１の電力線端子及び前記第２の通信線の一端が接続される第１の通信線端子を含み、
前記第３の端子は、前記第２の電力線の他端が接続される第２の電力線端子及び前記第２の通信線の他端が接続される第２の通信線端子を含み、
前記第１方向を鉛直方向にして、前記蓄電池ユニットを設置したときに、
前記第１の電力線端子は、前記第１の通信線端子よりも水平方向における一方側に配置され、
前記第２の電力線端子は、前記第２の通信線端子よりも前記水平方向における一方側に配置される
請求項２に記載の蓄電池ユニット。
【請求項４】
前記第１の電力線端子と、前記第１の通信線端子とは、前記水平方向に並ぶように配置され、
前記第２の電力線端子と、前記第２の通信線端子とは、前記水平方向に並ぶように配置され、
前記第１の電力線端子と、前記第２の電力線端子とは、鉛直方向に並ぶように配置され、
前記第１の通信線端子と、前記第２の通信線端子とは、鉛直方向に並ぶように配置される、
請求項３に記載の蓄電池ユニット。
【請求項５】
前記複数の側面のうち前記第１の面及び前記第２の面とは異なる面を第３の面としたとき、
前記第２の端子は、前記電力変換装置との間で接続されている外部電力線と、前記第３の面側から接続される向きで前記ユニット回路に配置され、
前記第２の電力線端子は、前記第２の通信線端子よりも前記第３の面側とは反対側に配置される
請求項３または４に記載の蓄電池ユニット。
【発明の詳細な説明】
【技術分野】
【０００１】
本発明は、複数の単電池を有する電池モジュールを備える蓄電池ユニットに関する。
【背景技術】
【０００２】
特許文献１は、複数の単電池セルを含む組電池を備えた蓄電池モジュールを備える蓄電池ユニットを開示する。
【先行技術文献】
【特許文献】
【０００３】
【特許文献１】特開２０１３−９７９２６号公報
【発明の概要】
【発明が解決しようとする課題】
【０００４】
特許文献１の技術では、蓄電池ユニットに対するメンテナンスなどの作業を容易に行うことができなかった。
【０００５】
そこで、本発明は、作業を容易に行うことができる蓄電池ユニットを提供する。
【課題を解決するための手段】
【０００６】
本発明の一態様に係る蓄電池ユニットは、複数の単電池と、当該複数の単電池の電力を入出力するための第１の電力線、及び、当該複数の単電池の情報を入出力するための第１の通信線が接続されたモジュール回路と、を有する電池モジュールと、前記モジュール回路に第２の電力線及び第２の通信線で接続され、かつ、外部の電力変換装置に接続されるユニット回路と、を備える蓄電池ユニットであって、前記電池モジュールと前記ユニット回路とが並ぶ第１方向を鉛直方向にして、前記蓄電池ユニットを配置したときの当該蓄電池ユニットの上面及び下面を除く複数の側面のうち対向する１対の側面を第１の面及び第２の面としたとき、前記モジュール回路は、前記第２の電力線及び前記第２の通信線の一端が接続され、前記第１の面及び前記第２の面のうち一方の面側の位置に配置される第１の端子を有し、前記ユニット回路は、前記電力変換装置と接続され、前記第１の面及び前記第２の面のうち他方の面側の位置に配置される第２の端子を有する。
【発明の効果】
【０００７】
本発明の蓄電池ユニットによれば、当該蓄電池ユニットに対する作業を容易に行うことができる。
【図面の簡単な説明】
【０００８】
【図１】図１は、実施の形態に係る蓄電池ユニットの外観の一例を示す斜視図である。
【図２】図２は、蓄電池ユニットの筐体及びユニット回路を分解した分解斜視図である。
【図３】図３は、図１の蓄電池ユニットの筐体のＩＩＩ−ＩＩＩ断面図である。
【図４】図４は、図１の蓄電池ユニットの筐体のＩＶ−ＩＶ断面図である。
【図５】図５は、筐体を除いた蓄電池ユニットの外観の一例を示す斜視図である。
【図６】図６は、ユニット回路の外観の一例を示す斜視図である。
【図７】図７は、電池モジュールの外観の一例を示す斜視図である。
【図８】図８は、電池モジュールの外装体を分解した分解斜視図である。
【図９】図９は、電池積層体について説明するための分解斜視図である。
【図１０】図１０は、蓄電池ユニットの電気的な接続を説明するための概略図である。
【発明を実施するための形態】
【０００９】
以下、実施の形態に係る蓄電池ユニットについて、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略又は簡略化される場合がある。
【００１１】
（実施の形態）
以下、図１〜図１０を用いて、実施の形態を説明する。
【００１２】
［１．構成］
図１は、実施の形態に係る蓄電池ユニットの外観の一例を示す斜視図である。図２は、蓄電池ユニットの外装体及びユニット回路を分解した分解斜視図である。
【００１３】
なお、これらの図及び以降の図では、説明の便宜のため、Ｙ軸方向を前後方向とし、Ｙ軸方向プラス側（矢印の先端側）を前側、Ｙ軸方向マイナス側（矢印の後端側）を後側とする。また、Ｚ軸方向を上下方向とし、Ｚ軸方向プラス側（矢印の先端側）を上側、Ｚ軸方向マイナス側（矢印の後端側）を下側とする。上記のように定義されたＹ軸方向およびＺ軸方向を右手系の座標系に適用することで、Ｘ軸方向を定義する。つまり、Ｙ軸方向およびＺ軸方向に垂直な方向（左右方向）をＹ軸方向とし、Ｘ軸方向プラス側（矢印の先端側）を左側、Ｘ軸方向マイナス側（矢印の後端側）を右側とする。
【００１４】
図１および図２に示すように、蓄電池ユニット１は、筐体１０と、ユニット回路２０と、電池モジュール３０と、を備える。本実施の形態では、蓄電池ユニット１は、２つの電池モジュール３０を備える。蓄電池ユニット１では、例えば、ユニット回路２０と、２つの電池モジュール３０とが直列に接続されている。
【００１５】
２つの電池モジュール３０のそれぞれは、複数の単電池を有し、電力を充電したり、充電した電力を放電したりすることができる二次電池である。電池モジュール３０は、リチウムイオン二次電池で構成されていてもよいし、鉛蓄電池によって構成されていてもよい。電池モジュール３０の具体的な構成は後述する。
【００１６】
なお、蓄電池ユニット１は、２つの電池モジュール３０を備える構成に限らずに、１つの電池モジュール３０を備える構成であってもよいし、３つ以上の電池モジュール３０を備える構成であってもよい。
【００１７】
ユニット回路２０は、２つの電池モジュール３０と電気的に接続され、２つの電池モジュール３０が有する単電池の状態を示す情報として、温度、電流、電圧等を定期的に計測し、計測結果を外部の電力変換装置２へ通知する。外部の電力変換装置２は、ユニット回路２０からの通知内容に基づき、許容される電流値や電圧値を決定し、決定した値の範囲内になるように充放電を制御する。また、ユニット回路２０は、蓄電池ユニット１の内部の異常を監視し、異常と判断される場合に、蓄電池ユニット１における電流の出入りを遮断するように制御する。ユニット回路２０の具体的な構成は後述する。
【００１８】
（筐体の構成）
筐体１０の具体的な構成について説明する。
【００１９】
図３は、図１の蓄電池ユニットの筐体のＩＩＩ−ＩＩＩ断面図である。図４は、図１の蓄電池ユニットの筐体のＩＶ−ＩＶ断面図である。図５は、複数の板状部材を除いた蓄電池ユニットの斜視図である。なお、図３および図４は、筐体１０以外の構成を除いた断面図である。また、図３は、蓄電池ユニット１の側板の部分をＸ−Ｙ平面で切断した場合の断面図である。つまり、図３は、蓄電池ユニット１の側板１２０〜１５０の位置関係を示している。図４は、蓄電池ユニットの上板１１０の部分をＸ−Ｙ平面で切断した場合の断面図である。つまり、図４は、蓄電池ユニット１の上板１１０と各側板１２０〜１５０との間の位置関係を示している。
【００２０】
筐体１０は、図１〜図４に示すように、複数の板状部材により構成される。複数の板状部材は、蓄電池ユニット１の上面に配置される上板１１０、蓄電池ユニット１の下面に配置される下板１６０、上板１１０及び下板１６０を除く側面に配置される側板１２０〜１５０を含む。筐体１０は、さらに、ユニット回路２０および電池モジュール３０を支持する支持台１７０を備えていてもよい。
【００２１】
（上板）
上板１１０は、第１上板部１１１を有する。第１上板部１１１は、蓄電池ユニット１の上面の略全面を覆う、例えば、矩形板状の部位である。上板１１０は、さらに、第２上板部１１２を有していてもよい。第２上板部１１２は、側板１２０〜１５０に沿っており、第１上板部１１１の４辺の部位から下方に延びる４つの板状の部位が互いに接続されている角筒状の部位である。
【００２２】
なお、第２上板部１１２は、第１上板部１１１の４辺の部位のそれぞれから下方に延びる板状の部位であればよく、４つの板状の部位が互いに連続していることで角筒状を形成していなくてもよい。また、第２上板部１１２は、第１上板部１１１の４辺の部位のいずれか１辺の部位から下方に延びる板状の部位であればよく、第１上板部１１１の４辺のうちの３辺、２辺または１辺の部位から下方に延びる板状の部位であってもよい。また、第２上板部１１２は、第１上板部１１１の４辺の部位のうちの１辺の部位から１つの板状の部位が下方に延びる構成としているが、１辺の部位から２以上の板状の部位が下方に延びる構成としてもよい。上板１１０は、例えば、金属、樹脂などにより構成される。
【００２３】
上板１１０は、ネジなどの締結部材１１３により、支持台１７０に固定される。上板１１０の上部には、板状のカバー部材１１４が配置されてもよい。カバー部材１１４は、締結部材１１３により固定された上板１１０の上面を覆うことで、締結部材１１３を覆う部材である。つまり、締結部材１１３は、筐体１０から露出しない位置に配置される。
【００２４】
上板１１０の上側には、カバー部材１１４が嵌合する空間が設けられていてもよい。つまり、上板１１０の上側は、第１上板部１１１の４辺の部位から上方に、カバー部材１１４の厚みの分だけ突出している突出部１１１ａが形成されていてもよい。カバー部材１１４は、例えば、金属、樹脂などにより構成される。
【００２５】
（下板）
下板１６０は、蓄電池ユニット１の下面の略全面を覆う板状部材である。下板１６０は、例えば、ネジ等の締結部材（図示せず）により支持台１７０に固定される。下板１６０は、例えば、金属、樹脂などにより構成される。
【００２６】
（側板）
側板は、蓄電池ユニット１の前面に配置される前板１２０と、蓄電池ユニット１の後面に配置される後板１３０と、蓄電池ユニット１の右側面に配置される右板１４０と、蓄電池ユニット１の左側面に配置される左板１５０とを有する。
【００２７】
（前板）
前板１２０は、第１前板部１２１と、固定部１２２とを有する。第１前板部１２１は、蓄電池ユニット１の前面の略全面を覆う、例えば、矩形板状の部位である。固定部１２２は、第１前板部１２１に接続される板状の部位である。固定部１２２は、第１上板部１１１に沿って配置される。固定部１２２は、第１前板部１２１の上部から上方に延びる接続部１２２ｂにより接続されており、接続部１２２ｂの上端部から後方に延びる部位である。固定部１２２は、接続部１２２ｂにより接続される構成に限らず、第１前板部１２１の上部に直接接続されている構成であってもよい。
【００２８】
固定部１２２は、貫通孔１２２ａを有する。本実施の形態では、２つの固定部１２２が第１前板部１２１の上端部における左右両端に接続されている。なお、固定部１２２は、第１前板部１２１の上端部に２つ接続されている構成に限らずに、１つ接続されている構成であってもよいし、３つ以上が接続されている構成であってもよい。また、固定部１２２が１つの場合には、第１前板部１２１の上端部の左右方向の幅に亘って形成されていてもよい。
【００２９】
前板１２０は、固定部１２２の貫通孔１２２ａを、上板１１０の第１上板部１１１の貫通孔と共に締結部材１１３により貫通された状態で、締結部材１１３が支持台１７０に螺合されることで、上板１１０と共に支持台１７０に固定される。これにより、前板１２０の固定部１２２と、第１上板部１１１の下面とは、互いに固定される。
【００３０】
なお、前板１２０の固定部１２２と、第１上板部１１１の下面とは互いに固定されていなくてもよい。つまり、前板１２０の固定部１２２の貫通孔１２２ａと、第１上板部１１１の貫通孔とは、共に締結部材１１３により貫通されるとしたが、これに限らない。例えば、前板１２０の固定部１２２は、支持台１７０のみに対して独立して固定される構成であってもよい。
【００３１】
なお、上板１１０の第１上板部１１１と、前板１２０の固定部１２２との各々は、締結部材１１３に貫通された状態で、締結部材１１３が支持台１７０に螺合することで、支持台１７０に直接固定される構成としたが、これに限らない。例えば、締結部材１１３が支持台１７０に固定されている部材に対して螺合することで、第１上板部１１１と固定部１２２とが、間接的に支持台１７０に固定される構成としてもよい。つまり、側板は、蓄電池ユニット１の側面としての前面の略全面を覆う第１側板部としての第１前板部１２１と、第１側板部に接続される固定部とを有する。
【００３２】
また、上板１１０の第１上板部１１１と、前板１２０の固定部１２２とは、締結部材１１３により共に支持台１７０に固定される構成としたが、各々が別々に締結部材１１３により支持台１７０に直接的にまたは間接的に固定される構成としてもよい。
【００３３】
また、前板１２０は、さらに、第２前板部１２３、１２４を有していてもよい。第２前板部１２３は、蓄電池ユニット１の左側面に沿う、板状の部位である。第２前板部１２３は、第１前板部１２１の左側の辺の部位から後方に延びる。第２前板部１２４は、蓄電池ユニット１の右側面に沿う、板状の部位である。第２前板部１２４は、第１前板部１２１の右側の辺の部位から後方に延びる。第２前板部１２３、１２４は、第１前板部１２１の上下方向の幅に亘って形成されていてもよい。これにより、前板１２０の剛性を向上させることができる。
【００３４】
また、前板１２０は、さらに、第３前板部１２５を有していてもよい。第３前板部１２５は、図４に示すように、上板１１０の第２上板部１１２よりも内側に配置される、板状の部位である。つまり、第３前板部１２５は、第２上板部１１２の前側の部位よりも後側に配置される。また、第３前板部１２５は、第１前板部１２１よりも、上方の位置に配置され、かつ、後方にオフセットした位置に配置される。第１前板部１２１の上端部と第３前板部１２５の下端部とは、前後方向で互いに接続されている。
【００３５】
また、第３前板部１２５は、２つの固定部１２２の間に配置されており、第１前板部１２１の上端部のうち２つの固定部１２２の間の部位の左右方向の幅に亘って形成されていてもよい。このように、第３前板部１２５は、第１前板部１２１よりもオフセットした位置に配置され、かつ、第１前板部１２１と前後方向で接続されているため、前板１２０の剛性を向上させることができる。
【００３６】
第３前板部１２５は、例えば、ネジなどの締結部材（図示せず）により、支持台１７０に固定されているユニット回路２０の前面に固定される。なお、第３前板部１２５は、ユニット回路２０を介して支持台１７０に固定される構成に限らずに、支持台１７０に直接固定される構成であってもよい。
【００３７】
また、第３前板部１２５は、第２上板部１１２よりも内側に配置されるため、第３前板部１２５を固定している締結部材は、第２上板部１１２により覆われた状態となる。つまり、当該締結部材は、筐体１０から露出しない位置に配置される。
【００３８】
前板１２０は、例えば、金属、樹脂などにより構成される。
【００３９】
（左右板）
右板１４０は、第１右板部１４１と、第２右板部１４２とを有する。第１右板部１４１は、蓄電池ユニット１の右側面の略全面を覆う、例えば、矩形板状の部位である。第２右板部１４２は、図３に示すように、前板１２０の第２前板部１２４よりも内側に配置される部位である。つまり、第２右板部１４２は、第２前板部１２４よりも左側に配置される。また、第２右板部１４２は、第１右板部１４１よりも、前方の位置に配置され、かつ、左方にオフセットした位置に配置される。第１右板部１４１の前端部と第２右板部１４２の後端部とは、左右方向で互いに接続されている。
【００４０】
また、第２右板部１４２は、第１右板部１４１の前端部の上下方向の幅に亘って形成されていてもよい。このように、第２右板部１４２は、第１右板部１４１よりもオフセットした位置に配置され、かつ、第１右板部１４１と左右方向で接続されているため、右板１４０の剛性を向上させることができる。
【００４１】
第２右板部１４２は、例えば、ネジなどの締結部材（図示せず）により、支持台１７０の右側面に固定される。第２右板部１４２は、第２前板部１２４よりも内側に配置されるため、第２右板部１４２を固定している締結部材は、第２前板部１２４により覆われた状態となる。つまり、当該締結部材は、筐体１０から露出しない位置に配置される。
【００４２】
また、右板１４０は、さらに、第３右板部１４３を有していてもよい。第３右板部１４３は、図４に示すように、上板１１０の第２上板部１１２よりも内側に配置される、板状の部位である。つまり、第３右板部１４３は、第２上板部１１２の右側の部位よりも左側に配置される。また、第３右板部１４３は、第１右板部１４１よりも、上方の位置に配置され、かつ、左方にオフセットした位置に配置される。第１右板部１４１の上端部と第３右板部１４３の下端部とは、左右方向で互いに接続されている。
【００４３】
また、第３右板部１４３は、第１右板部１４１の上端部の前後方向の幅に亘って形成されていてもよい。このように、第３右板部１４３は、第１右板部１４１よりもオフセットした位置に配置され、かつ、第１右板部１４１と左右方向で接続されているため、右板１４０の剛性を向上させることができる。
【００４４】
第３右板部１４３は、例えば、ネジなどの締結部材（図示せず）により、支持台１７０の右側面に固定される。第３右板部１４３は、第２上板部１１２よりも内側に配置されるため、第３右板部１４３を固定している締結部材は、第２上板部１１２により覆われた状態となる。つまり、当該締結部材は、筐体１０から露出しない位置に配置される。
【００４５】
第３右板部１４３が締結部材により支持台１７０に固定されていれば、第２右板部１４２の締結部材による支持台１７０への固定はされなくてもよい。
【００４６】
また、右板１４０は、さらに、第４右板部１４４を有していてもよい。第４右板部１４４は、蓄電池ユニット１の後面に沿う部位である。
【００４７】
左板１５０は、第１左板部１５１と、第２左板部１５２とを有する。左板１５０は、さらに、第３左板部１５３を有していてもよい。左板１５０は、さらに、第４左板部１５４を有していてもよい。なお、左板１５０の構成は、右板１４０を左右反転させた構成と同様であるため、詳細な説明を省略する。
【００４８】
右板１４０および左板１５０は、例えば、金属、樹脂等により構成される。
【００４９】
（後板）
後板１３０は、第１後板部１３１と、第２後板部１３２とを有する。第１後板部１３１は、蓄電池ユニット１の後面の略全面を覆う、例えば、矩形板状の部位である。第２後板部１３２は、図４に示すように、第２上板部１１２の内側に配置される部位である。つまり、第２後板部１３２は、第２上板部１１２の後側の部位よりも前側に配置される。また、第２後板部１３２は、第１後板部１３１よりも、上方の位置に配置され、かつ、前方にオフセットした位置に配置される。第１後板部１３１の上端部と第２後板部１３２の下端部とは、前後方向で互いに接続されている。また、第１後板部１３１の上部には、後述する外部電力線２５１、２５２および外部通信線２５３を配線するための開口１３５、１３６が形成されている。
【００５０】
また、第２後板部１３２は、第１後板部１３１の上端部の左右方向の幅に亘って形成されていてもよい。このように、第２後板部１３２は、第１後板部１３１よりもオフセットした位置に配置され、かつ、第１後板部１３１と前後方向で接続されているため、後板１３０の剛性を向上させることができる。
【００５１】
第２後板部１３２は、例えば、ネジなどの締結部材（図示せず）により、支持台１７０に固定されているユニット回路２０の後面に固定される。なお、第２後板部１３２は、ユニット回路２０を介して支持台１７０に固定される構成に限らずに、支持台１７０に直接固定される構成であってもよい。
【００５２】
また、第２後板部１３２は、第２上板部１１２よりも内側に配置されるため、第２後板部１３２を固定している締結部材は、第２上板部１１２により覆われた状態となる。つまり、当該締結部材は、筐体１０から露出しない位置に配置される。
【００５３】
また、後板１３０は、さらに、第３後板部１３３と、第４後板部１３４とを有していてもよい。第３後板部１３３および第４後板部１３４は、それぞれ、図３に示すように、左板１５０の第４左板部１５４、および、右板１４０の第４右板部１４４よりも内側に配置される部位である。
【００５４】
つまり、第３後板部１３３は、第４左板部１５４よりも前側に配置される。第３後板部１３３は、第１後板部１３１よりも、左方の位置に配置され、かつ、前方にオフセットした位置に配置される。第１後板部１３１の左端部と第３後板部１３３とは、前後方向で互いに接続されている。
【００５５】
また、第４後板部１３４は、第４右板部１４４よりも前側に配置される。第４後板部１３４は、第１後板部１３１よりも、右方の位置に配置され、かつ、前方にオフセットした位置に配置される。第１後板部１３１の右端部と第４後板部１３４とは、前後方向で互いに接続されている。
【００５６】
また、第３後板部１３３および第４後板部１３４は、それぞれ、第１後板部１３１の左端部および右端部の上下方向の幅に亘って形成されていてもよい。このように、第３後板部１３３および第４後板部１３４は、それぞれ、第１後板部１３１よりもオフセットした位置に配置され、かつ、第１後板部１３１と前後方向で接続されているため、後板１３０の剛性を向上させることができる。
【００５７】
第３後板部１３３および第４後板部１３４は、例えば、ネジなどの締結部材（図示せず）により、支持台１７０の後面に固定される。第３後板部１３３および第４後板部１３４は、それぞれ、第４左板部１５４および第４右板部１４４よりも内側に配置されるため、第３後板部１３３および第４後板部１３４を固定している締結部材は、第４左板部１５４および第４右板部１４４により覆われた状態となる。つまり、当該締結部材は、筐体１０から露出しない位置に配置される。
【００５８】
後板１３０は、例えば、金属、樹脂などにより構成される。
【００５９】
（支持台）
図５は、複数の板状部材を除いた蓄電池ユニットの斜視図である。
【００６０】
支持台１７０は、上段部１７１、中段部１７２、および下段部１７３を有する。上段部１７１には、ユニット回路２０が固定され、中段部１７２および下段部１７３には、２つの電池モジュール３０が固定される。つまり、ユニット回路２０および２つの電池モジュール３０は、Ｚ軸方向に並んで、支持台１７０に支持されている。支持台１７０のＸ軸方向プラス側の壁面には、ユニット回路２０および２つの電池モジュール３０への配線を接続するための開口１７４〜１７６がそれぞれ設けられている。
【００６１】
中段部１７２および下段部１７３は、固定された電池モジュール３０の不良発生時に新たな電池モジュール３０に交換可能に構成されていてもよい。また、下段部１７３に一旦固定された電池モジュール３０を、中段部１７２に移して固定できるように構成されていてもよい。また、中段部１７２に一旦固定された電池モジュール３０を、下段部１７３に移して固定できるように構成されていてもよい。一般的に、上部ほど高い温度の空気が溜まりやすいため、上部と下部とで温度差が発生する。したがって、上部に配置される電池モジュール３０と、下部に配置される電池モジュール３０とで温度差に伴う劣化度合いの差が生じてしまう。所定期間が経過した後に、電池モジュール３０の配置場所を入れ替えることで、劣化度合いの差を抑制することができる。
【００６２】
また、支持台１７０には、上述したように、上板１１０、前板１２０、後板１３０、右板１４０、左板１５０、および下板１６０が固定される。支持台１７０には、上板１１０、前板１２０、後板１３０、右板１４０、左板１５０、および下板１６０を固定する締結部材が螺合するための雌ネジ部が設けられている。
【００６３】
（ユニット回路の構成）
次に、図６を用いてユニット回路２０の具体的な構成について説明する。
【００６４】
ユニット回路２０は、第２の端子２２１を有する。第２の端子２２１は、外部電力線２５１、２５２および外部通信線２５３により外部の電力変換装置２（図１０参照）と接続される。具体的には、第２の端子２２１は、外部電力線２５１、２５２が接続される電力線端子２２２と、外部通信線２５３が接続される通信線端子２２３とを有する。電力線端子２２２および通信線端子２２３は、ユニット回路２０のＸ軸方向マイナス側の位置に配置される。
【００６５】
電力線端子２２２は、電池モジュール３０に蓄えられた電力の出力（放電）や、電池モジュール３０への外部電力の入力（充電）を行うための端子である。つまり、電力線端子２２２は、負荷となる外部機器と接続されたり、発電機器などの電力を出力する機器や系統電源などと、電力変換装置２を介して接続されたりする端子である。
【００６６】
通信線端子２２３は、外部の機器からの制御信号を取得したり、外部の機器へ蓄電池ユニット１の状態を示す信号を出力したりするための端子である。通信線端子２２３は、ユニット回路基板２２０と電気的に接続される。ユニット回路基板２２０は、通信線端子２２３を介して外部からの制御信号を取得したり、蓄電池ユニット１の状態を示す信号を通信線端子２２３を介して出力する。
【００６７】
ユニット回路２０は、さらに、第３の端子２３１を有していてもよい。第３の端子２３１は、電池モジュール３０に一端が接続されている電力線２５４の他端が接続される電力線端子２３２と、電池モジュール３０に一端が接続されている通信線２５６の他端が接続される通信線端子２３３とを有する。電力線端子２３２および通信線端子２３３は、ユニット回路２０のＸ軸方向プラス側の位置に配置される。つまり、第３の端子２３１は、電力線２５４の他端が接続され、蓄電池ユニット１の左側面側の位置に配置される。
【００６８】
ユニット回路２０は、さらに、ユニット回路基板２２０と、遮断器２２４とを有していてもよい。
【００６９】
ユニット回路基板２２０は、第３の端子２３１を介して電力線２５４および通信線２５６と接続されることにより、２つの電池モジュール３０と接続される。ユニット回路基板２２０は、２つの電池モジュール３０からの放電および２つの電池モジュール３０への充電を管理するための制御回路を有する。ユニット回路基板２２０には、例えば、第３の端子２３１と、第４の端子２３４とが実装されている。第４の端子２３４には、正極側の電力線が接続され、当該電力線は、遮断器２２４に接続される。
【００７０】
遮断器２２４は、所定の電流より大きな電流が流れた場合に、電流を遮断する。
【００７１】
ユニット回路２０は、さらに、箱体２１０を有していてもよい。箱体２１０は、ユニット回路基板２２０、遮断器２２４、および第２の端子２２１を収納する、有底角筒状の部材である。箱体２１０は、Ｙ軸方向プラス側の壁面に、前板１２０の第３前板部１２５の上部が締結部材により螺合されるための雌ネジ部２１１を有する。また、箱体２１０は、第２の端子２２１に接続される外部電力線２５１、２５２および外部通信線２５３をユニット回路２０の外部に配線するための開口２１２を有する。また、箱体２１０は、第３の端子２３１に接続される電力線２５４、２５５および通信線２５６を電池モジュール３０まで配線するための開口２１３を有する。
【００７２】
（電池モジュールの構成）
次に、電池モジュール３０の具体的な構成について説明する。
【００７３】
図７は、電池モジュールの外観の一例を示す斜視図である。図８は、電池モジュールの外装体を分解した分解斜視図である。図９は、電池積層体について説明するための分解斜視図である。
【００７４】
図７〜図９に示すように、電池モジュール３０は、モジュール補強板３１０〜３４０と、蓋部３５０と、モジュール回路５００と、電池積層体４００と、第１の端子５２１とを備える。
【００７５】
モジュール補強板３１０は、電池モジュール３０のＹ軸方向プラス側に配置される、金属製の板状部材である。モジュール補強板３１０は、電池積層体４００の積層方向（Ｚ軸方向）側の両外側の一対の外面（上面及び下面）を除く複数の外面（複数の側面）を覆う位置のうち、少なくとも、最大面積を有する外面（本実施の形態ではＹ軸方向プラス側の外面）の全面を覆う位置に配置される。ここでいう、電池積層体４００の積層方向（Ｚ軸方向）側の両外側の一対の外面を除く複数の外面とは、当該一対の外面である上面及び下面に交差（本実施の形態では直交）する複数の側面である。なお、モジュール補強板３１０は、電池積層体４００のＹ軸方向プラス側の外面の全面を必ずしも厳密に覆っていなくてもよく、例えば全体の１０％以下の一部が露出していてもよい。モジュール補強板３１０は、平面視で略矩形状の外形を有する。
【００７６】
モジュール補強板３１０は、Ｙ軸方向プラス側に突出する突出部３１１を有していてもよい。突出部３１１は、Ｘ軸方向に並んで２つ形成されており、例えば、略直方体形状を有する。突出部３１１は、モジュール補強板３１０を構成する金属製の板状部材にプレス加工により構成される部位であってもよい。つまり、突出部３１１の反対側（Ｙ軸方向マイナス側）には、突出部３１１の形状と対応する形状の凹部が形成されていてもよい。また、突出部３１１は、２つ形成されていることに限らずに、１つ形成されている構成であってもよいし、３つ以上形成されている構成であってもよい。
【００７７】
モジュール補強板３２０は、電池モジュール３０のＹ軸方向マイナス側に配置される、金属製の板状部材である。モジュール補強板３２０は、モジュール補強板３１０に対向した位置に配置され、電池積層体４００のＹ軸方向マイナス側の外面の略全面を覆う位置に配置される。モジュール補強板３２０は、モジュール補強板３１０と比較して、電池積層体４００に対して配置される位置が反対側である点と、突出部３１１が形成されていない点とが異なる。
【００７８】
モジュール補強板３３０は、電池モジュール３０のＸ軸方向マイナス側に配置される、金属製の板状部材である。モジュール補強板３３０は、電池積層体４００のＸ軸方向マイナス側の外面を覆う位置に配置される。Ｘ軸方向マイナス側の外面は、電池積層体４００の複数の側面のうち最大面積ではない面積の側面である。モジュール補強板３３０は、ネジなどの締結部材によって４つの貫通孔が貫通された状態で、締結部材が電池積層体４００に固定されることで、電池積層体４００に固定される。
【００７９】
モジュール補強板３４０は、電池モジュール３０のＸ軸方向プラス側に配置される、金属製の板状部材である。モジュール補強板３４０は、モジュール補強板３３０に対向した位置に配置され、電池積層体４００のＸ軸方向プラス側の外面を覆う位置に配置される。Ｘ軸方向プラス側の外面は、電池積層体４００の複数の側面のうち最大面積ではない面積の側面である。モジュール補強板３４０は、矩形板状の部材であり、第１の端子５２１を露出させる開口３４１、３４２を有する。開口３４１は、第１の端子５２１のうち電力線端子５２２を露出させる。開口３４２は、第１の端子５２１のうち通信線端子５２３を露出させる。モジュール補強板３４０は、モジュール補強板３３０と同様に、ネジなどの締結部材により電池積層体４００に固定される。
【００８０】
蓋部３５０は、電池モジュール３０のＺ軸方向プラス側に配置される、金属製の板状部材である。蓋部３５０は、電池積層体４００のＺ軸方向プラス側に配置されているモジュール回路５００を覆う位置に配置される。蓋部３５０は、平面視で略矩形状の外形を有する。
【００８１】
このように、モジュール補強板３１０〜３４０は、電池積層体４００の積層方向（Ｚ軸方向）側の両外側の一対の外面（上面及び下面）を除く複数の外面（複数の側面）を覆う位置に配置される。つまり、モジュール補強板３１０〜３４０は、電池積層体４００のＺ軸方向の両外側の外面を覆わない位置に配置されてもよい。
【００８２】
電池積層体４００は、図９に示すように、板状の単電池４２０が複数積層してなる組立体である。具体的には、電池積層体４００は、一の単電池４２０と当該一の単電池４２０の主面が固定される板状トレイ４１０とを含む板状体を単位として複数積層してなる組立体である。つまり、電池積層体４００は、単電池４２０と板状トレイ４１０とを交互に積層してなる組立体である。電池積層体４００では、積層された複数の単電池４２０のうちの隣接する２つの単電池４２０において、一方の単電池４２０の正極端子４２１と、他方の単電池４２０の負極端子４２２とが、接続ユニット６０１、６０２により、電気的に接続されている。
【００８３】
単電池４２０は、矩形状の正極、セパレータ、負極およびセパレータが順に繰り返し積層されてなる発電要素を内部に有する。単電池４２０は、例えば、発電要素の外表面を覆うラミネートを有する。つまり、単電池４２０の外装体は、ラミネートにより構成されている。単電池４２０は、発電要素の正極が電気的に接続され、Ｘ軸方向マイナス側またはＸ軸方向プラス側から露出している正極端子４２１と、発電要素の負極が電気的に接続され、Ｘ軸方向プラス側またはＸ軸方向マイナス側から露出している負極端子４２２とを有する。正極端子４２１および負極端子４２２は、金属製の板状部材である。
【００８４】
本実施の形態では、単電池４２０は、Ｘ軸方向において互いに反対側の辺から正極端子４２１および負極端子４２２が露出している構成であるが、この構成に限らずに、同一の辺から正極端子および負極端子が露出する構成であってもよく、上下方向に複数の単電池を重ねたときに上面視において互いに重なる位置に正極端子および負極端子が配置されていればよい。例えば、一の単電池と、一の単電池とは裏向きにした他の単電池とを重ねたときに、一の単電池の正極端子と他の単電池の負極端子とが重なり、一の単電池の負極端子と他の単電池の正極端子とが重なるように、正極端子および負極端子の一が互いに点対称の関係となる位置に正極端子および負極端子を配置した構成とすればよい。これにより、複数の単電池の直列接続を容易にできる。
【００８５】
モジュール回路５００は、図８に示すように、モジュール回路基板５１０と、第１の端子５２１とを有する。モジュール回路５００は、複数の単電池４２０の電力を入出力するための電力線５３１、５３２、及び、当該複数の単電池４２０の情報を入出力するための通信線５３５が接続される。
【００８６】
モジュール回路基板５１０は、電池積層体４００の上面を覆う板状部材としての板状トレイ４３０上に配置される。板状トレイ４３０は、電池積層体４００の上面側に配置されている。モジュール回路基板５１０は、電池積層体４００に蓄えられた電力の出力制御や、電池積層体４００への充電制御などを行う制御回路を有する。モジュール回路基板５１０は、具体的には、複数の単電池４２０の各々の電極端子と電気的に接続される入出力端子５１１を有する。入出力端子５１１は、電池積層体４００の中間電位を取得するために、複数の単電池４２０の各々の電極端子と電気的に接続される。
【００８７】
第１の端子５２１は、電力線端子５２２および通信線端子５２３を有する。
【００８８】
電力線端子５２２は、電池積層体４００に蓄えられた電力の出力（放電）や、ユニット回路２０から供給される電池積層体４００への外部電力の入力（充電）を行うための端子である。電力線端子５２２は、モジュール回路基板５１０と電力線５３３で電気的に接続されており、モジュール回路基板５１０を介して、電池積層体４００の正極側の端部に位置する単電池の正極端子（以下、「電池積層体４００の正極端子」という。）、および、電池積層体４００の負極側の端部に位置する単電池の負極端子（以下、「電池積層体４００の負極端子」という。）と電気的に接続されている。
【００８９】
ここで、モジュール回路基板５１０は、電池積層体４００の正極端子と正極電力線５３１により電気的に接続され、電池積層体４００の負極端子と負極電力線５３２により電気的に接続されている。なお、電力線端子５２２は、モジュール回路基板５１０を介して電池積層体４００の正極端子および負極端子と電気的に接続されているとしたが、これに限らずに、直接、電池積層体４００の正極端子および負極端子と各電力線により電気的に接続されていてもよい。
【００９０】
接続ユニット６０１、６０２の複数の単電池４２０の各電極端子と接続される部材は、それぞれ、２本の通信線５３５によってモジュール回路基板５１０に実装されている２つの入出力端子５１１に電気的に接続される。これにより、モジュール回路基板５１０は、電池積層体４００の中間電位を取得する。
【００９１】
通信線端子５２３は、ユニット回路２０からの制御信号を取得したり、ユニット回路２０へ電池モジュール３０の状態を示す信号を出力したりするための端子である。通信線端子５２３は、モジュール回路基板５１０に実装されているコネクタ５１２と通信線５３４により電気的に接続される。これにより、モジュール回路基板５１０は、通信線端子５２３を介してユニット回路２０からの制御信号を取得したり、電池モジュール３０の状態を示す信号を通信線端子５２３を介して出力する。
【００９２】
なお、電力線端子５２２および通信線端子５２３は、電池モジュール３０のＸ軸方向プラス側の面において、Ｙ軸方向に並んで配置されている。
【００９３】
また、図９に示すように、電池積層体４００のＺ軸方向プラス側には、板状トレイ４１０と同じ構成を有する板状トレイ４３０が配置される。板状トレイ４３０は、板状部材に相当する。板状トレイ４３０上には、モジュール回路５００が配置される。
【００９４】
モジュール補強板３１０〜３４０は、電池積層体４００のＺ軸方向プラス側に配置される板状トレイ４３０と、電池積層体４００のＺ軸方向マイナス側に配置される板状トレイ４１０とに、固定される。これにより、モジュール補強板３１０〜３４０は、電池積層体４００を構成する複数の単電池４２０および複数の板状トレイ４１０、４３０が積層された状態を維持する。
【００９５】
（各端子の位置および配線）
次に、ユニット回路２０と２つの電池モジュール３０との電気的な接続に関する構成について図５、図６および図１０を用いて説明する。
【００９６】
図１０は、蓄電池ユニットの電気的な接続関係を説明するための概略図である。
【００９７】
図５、図６および図１０に示すように、ユニット回路２０が有する第２の端子２２１は、蓄電池ユニット１の右側面側に配置される。つまり、第２の端子２２１を構成する電力線端子２２２および通信線端子２２３は、蓄電池ユニット１の右側面側に配置される。
【００９８】
ここで、蓄電池ユニット１の右側面とは、電池モジュール３０とユニット回路２０とが並ぶＺ軸方向を鉛直方向にして、蓄電池ユニット１を配置したときの当該蓄電池ユニット１の上面および下面を除く複数の側面のうち対向する１対の側面を第１の面および第２の面としたときの一方の面である。なお、蓄電池ユニット１の左側面とは、第１の面および第２の面のうちの他方の面である。なお、蓄電池ユニット１の前側面および後側面を１対の側面としてもよい。
【００９９】
また、ユニット回路２０が有する第３の端子２３１は、第２の端子２２１が配置される蓄電池ユニット１の右側面側とは反対側の左側面側に配置される。つまり、第３の端子２３１を構成する電力線端子２３２および通信線端子２３３は、蓄電池ユニット１の左側面側に配置される。
【０１００】
また、電池モジュール３０は、第１の端子５２１が蓄電池ユニット１の左側面側を向く姿勢で配置される。これにより、第１の端子５２１を構成する電力線端子５２２および通信線端子５２３は、蓄電池ユニット１の左側面側に配置される。このため、ユニット回路２０の第２の端子２２１は、電池モジュール３０が備える第１の端子５２１が配置される側とは反対側に配置される。
【０１０１】
ユニット回路２０及び２つの電池モジュール３０は、電力線２５４、２５５、２５７と、通信線２５６、２５８とにより接続される。
【０１０２】
電力線２５４、２５５、２５７は、ユニット回路２０の電力線端子２３２と、モジュール回路５００の電力線端子５２２とを接続する。具体的には、電力線２５４は、ユニット回路２０の電力線端子２３２と、２つの電池モジュール３０のうち上側に配置される電池モジュール３０の正極とを接続する。また、電力線２５７は、２つの電池モジュール３０のうち、上側に配置される電池モジュール３０の負極と、下側に配置される電池モジュール３０の正極とを接続する。また、電力線２５５は、下側に配置される電池モジュール３０の負極と、ユニット回路２０の遮断器２２４とを接続する。
【０１０３】
なお、電力線２５４、２５７は、上側の電池モジュール３０の電力線端子５２２と接続されるコネクタ２６２を有する。また、電力線２５５、２５７は、下側の電池モジュール３０の電力線端子５２２と接続されるコネクタ２６１を有する。このように、２つの電池モジュール３０は、直列接続された状態でユニット回路２０と接続されている。
【０１０４】
なお、２つの電池モジュール３０は、並列接続された状態でユニット回路２０と接続されてもよい。また、蓄電池ユニットが３つ以上の電池モジュールを備える場合には、３つ以上の電池モジュールが直列接続および並列接続の組合せで接続された状態でユニット回路と接続されてもよい。
【０１０５】
また、電力線２５４のコネクタ２６２とは反対側の端部はユニット回路２０の電力線端子２３２と直接接続される。なお、当該反対側の端部は、コネクタを介して電力線端子２３２と接続されてもよい。
【０１０６】
また、電力線２５５のコネクタ２６１とは反対側の端部はユニット回路２０の遮断器２２４と直接接続される。なお、当該反対側の端部は、コネクタを介して遮断器２２４と接続されてもよい。
【０１０７】
また、通信線２５６、２５８は、ユニット回路２０の通信線端子２３３と、モジュール回路５００の通信線端子５２３とを接続する。具体的には、通信線２５６は、ユニット回路２０の通信線端子２３３と、２つの電池モジュール３０のうち上側に配置される電池モジュール３０の通信線端子５２３とを接続する。また、通信線２５８は、２つの電池モジュール３０のうち上側に配置される電池モジュール３０の通信線端子５２３と、下側に配置される電池モジュール３０の通信線端子５２３とを接続する。
【０１０８】
なお、通信線２５６、２５８は、上側の電池モジュール３０の通信線端子５２３と接続されるコネクタ２６４を有する。また、通信線２５８は、下側の電池モジュール３０の通信線端子５２３と接続されるコネクタ２６３を有する。なお、ユニット回路２０の通信線端子２３３と、各電池モジュール３０の通信線端子５２３とが接続されればよく、通信線の構成は、上述の構成に限るものではない。
【０１０９】
また、図５に示すように、ユニット回路２０の電力線端子２３２は、ユニット回路２０の通信線端子２３３よりも水平方向における一方側（つまりＹ軸方向プラス側）に配置される。また、電池モジュール３０の電力線端子５２２は、電池モジュール３０の通信線端子５２３よりも水平方向における一方側（つまりＹ軸方向プラス側）に配置される。
【０１１０】
このように、ユニット回路２０および電池モジュール３０では、電力線端子２３２、５２２は、通信線端子２３３、５２３よりもＹ軸方向プラス側に配置されるため、電力線２５４、２５５、２５７と、通信線２５６、２５８とが互いに交差しないように配線することができる。
【０１１１】
さらに、ユニット回路２０の電力線端子２３２および通信線端子２３３と、電池モジュール３０の電力線端子５２２および通信線端子５２３とを以下のように配置してもよい。
【０１１２】
つまり、ユニット回路２０の電力線端子２３２および通信線端子２３３は、水平方向（Ｙ軸方向）に並ぶように配置される。電池モジュール３０の電力線端子５２２および通信線端子５２３は、水平方向（Ｙ軸方向）に並ぶように配置される。ユニット回路２０の電力線端子２３２と、電池モジュール３０の電力線端子５２２とは、鉛直方向（Ｚ軸方向）に並ぶように配置される。ユニット回路２０の通信線端子２３３と、電池モジュール３０の通信線端子５２３とは、鉛直方向（Ｚ軸方向）に並ぶように配置される。
【０１１３】
また、第２の端子２２１は、電力変換装置２との間で接続されている外部電力線２５１、２５２と、後側から接続される向きでユニット回路２０に配置されてもよい。この場合、電力線端子２３２は、通信線端子２３３よりも後側とは反対側である前側に配置される。
【０１１４】
［２．効果など］
本実施の形態に係る蓄電池ユニット１は、電池モジュール３０と、ユニット回路２０とを備える。電池モジュール３０は、複数の単電池４２０と、モジュール回路５００とを有する。モジュール回路５００は、電力線５３１、５３２および通信線５３５が接続されている。電力線５３１、５３２は、当該複数の単電池４２０の電力を入出力するための電力線である。通信線５３５は、当該複数の単電池４２０の情報を入出力するための通信線である。ユニット回路２０は、モジュール回路５００に電力線２５４、２５５、２５７及び通信線２５６、２５８で接続され、かつ、外部の電力変換装置２に接続される。電池モジュール３０とユニット回路２０とが並ぶ第１方向を鉛直方向にして、蓄電池ユニット１を配置したときの当該蓄電池ユニット１の上面及び下面を除く複数の側面のうち対向する１対の側面を第１の面及び第２の面とする。このとき、モジュール回路５００は、第１の端子５２１を有する。第１の端子５２１は、電力線２５４、２５５、２５７及び通信線２５６、２５８の一端が接続され、第１の面及び第２の面のうち一方の面（右側面）側の位置に配置される。また、このとき、ユニット回路２０は、第２の端子２２１を有する。第２の端子２２１は、電力変換装置２と接続され、第１の面及び第２の面のうち他方の面（左側面）側の位置に配置される。
【０１１５】
これによれば、蓄電池ユニット１の第２の端子２２１が外部の電力変換装置２と接続されている状態であっても、電池モジュール３０の第１の端子５２１が第２の端子２２１とは反対側のＸ軸方向プラス側に配置されている。このため、作業者は、電池モジュール３０の調整、交換などのメンテナンス作業を行う場合、第１の端子５２１への作業が容易にできる。
【０１１６】
一般的に、蓄電池ユニット１を外部の電力変換装置２と接続するための蓄電池ユニット１は、外部電力線２５１、２５２および外部通信線２５３は、建物の壁側に配置されている。このため、蓄電池ユニット１が外部電力線２５１、２５２および外部通信線２５３に接続された場合、蓄電池ユニット１の第２の端子２２１を壁側に向けて蓄電池ユニット１を配置する。このため、蓄電池ユニット１は、壁側の位置から移動しにくい状態となる。ところで、電池モジュール３０の第１の端子５２１は、メンテナンス作業などの作業の対象となるため、第１の端子５２１に対する作業を容易にすることが求められている。
【０１１７】
本実施の形態に係る蓄電池ユニット１では、電池モジュール３０の第１の端子５２１を蓄電池ユニット１の第２の端子２２１とは反対側に配置している。つまり、蓄電池ユニット１を外部電力線２５１、２５２および外部通信線２５３と接続した状態において、第１の端子５２１を壁とは反対側に配置できる。このため、作業者は、蓄電池ユニット１の電池モジュール３０が接続されている第１の端子５２１への作業を容易に行うことができる。
【０１１８】
また、本実施の形態に係る蓄電池ユニット１において、ユニット回路２０は、さらに、第３の端子２３１を有する。第３の端子２３１は、電力線２５４及び通信線２５６の他端が接続され、第１の面及び第２の面のうち一方の面（右側面）側の位置に配置される。
【０１１９】
これによれば、第３の端子２３１を電池モジュール３０の第１の端子５２１と同じ側に配置している。このため、ユニット回路２０と電池モジュール３０とを接続する電力線２５４、２５５、２５７と、通信線２５６、２５８との長さを極力短くすることができる。
【０１２０】
また、本実施の形態に係る蓄電池ユニット１において、第１の端子５２１は、電力線端子５２２および通信線端子５２３を含む。電力線端子５２２は、電力線２５４、２５５、２５７の一端が接続される。通信線端子５２３は、通信線２５６、２５８の一端が接続される。第３の端子２３１は、電力線端子２３２および通信線端子２３３を含む。電力線端子２３２は、電力線２５４の他端が接続される。通信線端子２３３は、通信線２５６の他端が接続される。第１方向を鉛直方向にして、蓄電池ユニット１を設置したときに、電力線端子５２２は、通信線端子５２３よりも水平方向における一方側（Ｙ軸方向プラス側）に配置される。また、このときに、電力線端子２３２は、通信線端子２３３よりも水平方向における一方側（Ｙ軸方向プラス側）に配置される。
【０１２１】
このため、電力線２５４、２５５、２５７と、通信線２５６、２５８とが互いに交差しないように、電力線２５４、２５５、２５７と、通信線２５６、２５８とをモジュール回路５００およびユニット回路２０に対して接続することができる。よって、通信線２５６、２５８に対して電力線２５４、２５５、２５７からのノイズが混入することを低減することができる。
【０１２２】
また、本実施の形態に係る蓄電池ユニット１において、電力線端子５２２と、通信線端子５２３とは、水平方向（Ｙ軸方向）に並ぶように配置される。また、電力線端子２３２と、通信線端子２３３とは、水平方向（Ｙ軸方向）に並ぶように配置される。また、電力線端子５２２と、電力線端子２３２とは、鉛直方向（Ｚ軸方向）に並ぶように配置される。また、通信線端子５２３と、通信線端子２３３とは、鉛直方向（Ｚ軸方向）に並ぶように配置される。
【０１２３】
これによれば、電力線２５４、２５５、２５７と、通信線２５６、２５８とは、略平行に配線される。このため、電力線２５４、２５５、２５７と、通信線２５６、２５８との長さを極力短くすることができる。
【０１２４】
また、本実施の形態に係る蓄電池ユニット１において、複数の側面のうち第１の面（右側面）及び第２の面（左側面）とは異なる面を第３の面（後面）とする。このとき、第２の端子２２１は、電力変換装置２との間で接続されている外部電力線２５１、２５２と、第３の面（後面）側から接続される向きでユニット回路２０に配置される。電力線端子２３２は、通信線端子２３３よりも第３の面（後面）側とは反対側（前面側）に配置される。
【０１２５】
これによれば、第２の端子２２１は、電力変換装置２との間で接続されている外部電力線２５１、２５２と、後側から接続される向きでユニット回路２０に配置される。このため、蓄電池ユニット１の左側から電力線２５４、２５５、２５７と、通信線２５６、２５８とが接続されると、ユニット回路２０の内部で、９０度各配線を曲げる必要がある。このとき、電力線端子２３２を通信線端子２３３よりも前側に配置するため、ユニット回路２０の内部で配線される通信線が第２の端子２２１に向かう曲率半径よりも、ユニット回路２０の内部で配線される電力線が第２の端子２２１に向かう曲率半径を大きくできる。一般的に電力線は通信線よりも直径が大きいため、ユニット回路２０内部に、電力線にかかる応力を低減した状態で、電力線及び通信線を配置することができる。
【０１２６】
本実施の形態に係る蓄電池ユニット１は、電池モジュール３０と、ユニット回路２０と、筐体１０とを備える。電池モジュール３０は、複数の単電池４２０と、モジュール回路５００とを有する。モジュール回路５００は、電力線５３１、５３２および通信線５３５が接続されている。電力線５３１、５３２は、当該複数の単電池４２０の電力を入出力するための電力線である。通信線５３４は、当該複数の単電池４２０の情報を入出力するための通信線である。ユニット回路２０は、モジュール回路５００に電力線２５４、２５５、２５７及び通信線２５６、２５８で接続され、かつ、外部の電力変換装置２に接続される。筐体１０は、電池モジュール３０及び前記ユニット回路２０を収納する。筐体１０は、複数の板状部材からなる。複数の板状部材は、蓄電池ユニット１の上面に配置される上板１１０、下面に配置される下板１６０、上面及び下面を除く側面に配置される前板１２０を少なくとも含む。上板１１０は、上面の略全面を覆う第１上板部１１１を有する。前板１２０は、第１前板部１２１と、固定部１２２とを備える。第１前板部１２１は、前面の略全面を覆う。固定部１２２は、第１前板部１２１に接続される板状の部位である。固定部１２２は、第１上板部１１１に沿って配置される。
【０１２７】
これによれば、前板１２０の固定部１２２は、第１上板部１１１に沿って配置されるため、当該固定部１２２での固定を解除すれば、前板１２０を取り外すことが容易にできる。
【０１２８】
また、本実施の形態に係る蓄電池ユニット１において、筐体１０は、さらに、電池モジュール３０及びユニット回路２０を支持する支持台１７０を有する。第１上板部１１１及び固定部１２２の各々は、貫通孔および貫通孔１２２ａを有し、締結部材１１３が第１上板部１１１の貫通孔及び固定部１２２の貫通孔１２２ａを貫通した状態で支持台１７０に螺合されることで、互いに固定されている。
【０１２９】
これによれば、締結部材１１３は螺合されることで固定されているため、前板１２０の固定部１２２と上板１１０の下面との固定の解除を容易にできる。
【０１３０】
また、本実施の形態に係る蓄電池ユニット１において、側板１２０〜１５０のうち、蓄電池ユニット１の前面に配置される前板１２０が、固定部１２２を備える。
【０１３１】
このため、側板１２０〜１５０のうちの前板１２０を容易に取り外すことができる。
【０１３２】
また、本実施の形態に係る蓄電池ユニット１において、上板１１０は、さらに、前板１２０に沿う第２上板部１１２を有する。前板１２０は、さらに、第２上板部１１２よりも内側に配置される第３前板部１２５を有する。
【０１３３】
また、後板１３０は、さらに、第２上板部１１２よりも内側に配置される第２後板部１３２を有していてもよい。また、右板１４０は、さらに、第２上板部１１２よりも内側に配置される第３右板部１４３を有していてもよい。また、左板１５０は、さらに、第２上板部１１２よりも内側に配置される第３左板部１５３を有していてもよい。
【０１３４】
このため、前板１２０の第３前板部１２５、後板１３０の第２後板部１３２、右板１４０の第３右板部１４３、および、左板１５０の第３左板部１５３のそれぞれは、第２上板部１１２によって、蓄電池ユニット１の外側に移動することが規制される。また、第３前板部１２５、第２後板部１３２、第３右板部１４３、および、第３左板部１５３は、第２上板部１１２によって覆われるため、締結部材を用いて、第３前板部１２５、第２後板部１３２、第３右板部１４３、および、第３左板部１５３を固定している場合には、第２上板部１１２によって当該締結部材を隠すことができる。
【０１３５】
また、本実施の形態に係る蓄電池ユニット１において、側板１２０〜１５０のうち、蓄電池ユニット１の前面に配置される前板１２０は、第１側板部として前面の略全面を覆う第１前板部１２１と、蓄電池ユニット１の左側面及び右側面に沿う第２前板部１２３、１２４とを有する。側板１２０〜１５０のうち、左側面に配置される左板１５０は、第１側板部として左側面の略全面を覆う第１左板部１５１と、前板１２０の第２前板部１２３、１２４よりも内側に配置される第２左板部１５２とを有する。側板１２０〜１５０のうち、右側面に配置される右板１４０は、第１側板部として右側面の略全面を覆う第１右板部１４１と、前板１２０の第２前板部１２３、１２４よりも内側に配置される第２右板部１４２とを有する。
【０１３６】
このため、右板１４０の第２右板部１４２、および、左板１５０の第２左板部１５２は、それぞれ、第２前板部１２３、１２４によって、蓄電池ユニット１の外側に移動することが規制される。また、第２右板部１４２および第２左板部１５２は、それぞれ第２前板部１２３、１２４によって覆われるため、締結部材を用いて第２右板部１４２および第２左板部１５２を固定している場合には、第２前板部１２３、１２４によって当該締結部材を隠すことができる。
【０１３７】
［３．変形例］
上記実施の形態に係る蓄電池ユニット１では、各側板１２０〜１５０は、支持台１７０の下部において、各側板１２０〜１５０の下部のそれぞれが下方および支持台１７０の外側に移動することを規制する規制部によって係止されている構成を有していてもよい。これにより、各側板１２０〜１５０は、規制部によって各側板１２０〜１５０の下部が下方および支持台１７０の外側に移動することを規制されている状態で、各側板１２０〜１５０の上部が締結部材により支持台１７０に固定される。このため、各側板１２０〜１５０の上部を締結部材で固定することだけで、各側板１２０〜１５０を支持台１７０に固定することができる。よって、作業者は、各側板１２０〜１５０の上部を締結している締結部材を外す作業を行うことのみで、各側板１２０〜１５０を支持台１７０から取り外すことができる。
【０１３８】
また、上記実施の形態に係る蓄電池ユニット１では、後板１３０が前板１２０と同様に固定部を有する構成であってもよい。
【０１３９】
以上、本発明の一つまたは複数の態様に係る蓄電池ユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１４０】
１    蓄電池ユニット
２    電力変換装置
２０    ユニット回路
３０    電池モジュール
２２１    第２の端子
２２２    電力線端子
２２３    通信線端子
２３１    第３の端子
２３２    電力線端子
２３３    通信線端子
２５１、２５２    外部電力線
２５４、２５５、２５７    電力線
２５６、２５８    通信線
４２０    単電池
５００    モジュール回路
５２１    第１の端子
５２２    電力線端子
５２３    通信線端子
５３１    正極電力線
５３２    負極電力線
５３５    通信線
【図１】
2018206558.tif 000003
【図２】
2018206558.tif 000004
【図３】
2018206558.tif 000005
【図４】
2018206558.tif 000006
【図５】
2018206558.tif 000007
【図６】
2018206558.tif 000008
【図７】
2018206558.tif 000009
【図８】
2018206558.tif 000010
【図９】
2018206558.tif 000011
【図１０】
2018206558.tif 000012